(57)【特許請求の範囲】
【請求項１】
大梁（Ｂｂ）および小梁（Ｂｓ）の上面に床スラブ（Ｓｆ）が接続される正梁構造のコンクリート躯体（Ｆ）をもつ建築物において、
コンクリート躯体（Ｆ）の対面する鉛直躯体壁（３）間には、床スラブ（Ｓｆ）上においてコンクリート受梁（４）を一体に横架し、該コンクリート受梁（４）は、前記小梁（Ｂｓ）と上下方向に縦列されていて床スラブ（Ｓｆ）との間に防振ゴム（９）が介在され、該コンクリート受梁（４）間、もしくは該コンクリート受梁（４）と鉛直躯体壁（２）間に、前記床スラブ（Ｓｆ）上に空隙（Ｄ１）を存して配設される大引ビーム（５）を支持したことを特徴とする、建築物における床支持構造。
【請求項２】
大梁（Ｂｂ）および小梁（Ｂｓ）の上面に床スラブ（Ｓｆ）が接続される正梁構造のコンクリート躯体（Ｆ）をもつ建築物において、
コンクリート躯体（Ｆ）の対面する鉛直躯体壁（３）間には、床スラブ（Ｓｆ）上においてコンクリート受梁（４）を一体に横架し、該コンクリート受梁（４）は、前記小梁（Ｂｓ）と上下方向に縦列されていて床スラブ（Ｓｆ）との間に隙間（ｓ）が設けられ、該コンクリート受梁（４）間、もしくは該コンクリート受梁（４）と鉛直躯体壁（２）間に、前記床スラブ（Ｓｆ）上に空隙（Ｄ１）を存して配設される大引ビーム（５）を支持したことを特徴とする、建築物における床支持構造。
【請求項３】
前記複数の大引ビーム（５）の端面に、それらと直交するビーム受（８）を固定し、該ビーム受（８）を、前記コンクリート受梁（４）もしくは鉛直躯体壁（２）に上下方向に位置調節可能に支持したことを特徴とする、前記請求項１、または２記載の建築物における床支持構造。
【発明の詳細な説明】
【０００１】
【発明の属する技術分野】
本発明は、建築物における床支持構造、特に大梁および小梁の上面に床スラブが接続される正梁構造のコンクリート躯体をもつ建築物の床支持構造に関するものである。
【０００２】
【従来の技術】
一般に、マンションなどの集合住宅では、床構造体が、コンクリート躯体の床スラブや躯体壁と接触状態で固定結合されているため、床上などに加わる振動衝撃音が固体伝播音となって床構造体から上下階、左右隣室へと振動騒音となって伝わり、住空間の環境悪化、品質低下などの原因になるという問題があり、特に最近では、生活様式の変化により、和室が少なくなり、洋室も、緩衝材として機能するカーペット床から、緩衝材とはなりにくいフローリング床へと居住者のニーズに変化が見られ、床構造体から上下階、左右隣室へと伝わる振動騒音が一層大きくなる傾向があり、その遮音対策が大きな課題となっている。
【０００３】
そこで、従来では、遮音対策として、床スラブの厚みを増したり、床構造体自体を遮音構造にしたりするなどの対策がとられている。
【０００４】
【発明が解決しようとする課題】
ところで、かかる遮音対策を講じても床構造体とコンクリート躯体、特にその床スラブとの接触状態を回避することができず、振動騒音の伝播を軽減することができても抜本的な遮音対策とはならないという問題があり、また建築コストの大幅なアップを招くという別の問題もある。
【０００５】
そこで本出願人は、かかる問題を解決すべく、床構造体を、コンクリート躯体に吊杆を以て浮動状に吊下支持して、その躯体と床構造体とを絶縁し、生活騒音を固体伝播音から空気伝播音に変え、遮音性能を大幅に向上させた、建築物における床支持構造を既に提案している（特願２００１−１２０７３５）。
【０００６】
本発明は、先願の建築物における床支持構造と同じく、床構造体を床スラブとの接触から回避すると共にコンクリート躯体自体に改良を加えて、床構造体の床面積が広い場合にも、該床構造体に加わる振動騒音を、コンクリート躯体に能率よく拡散できるようにして、一層の遮音効果を高めるとともに、コンクリート躯体に対する床構造体の支持強度を高め、床構造体をコンクリート躯体により安定よく支持することができるようにした、新規な建築物における床支持構造を提供することを目的とするものである。
【０００７】
【課題を解決するための手段】
前記目的達成のため、本請求項１記載の発明は、大梁および小梁の上面に床スラブが接続される正梁構造のコンクリート躯体をもつ建築物において、
コンクリート躯体の対面する鉛直躯体壁間には、床スラブ上においてコンクリート受梁を一体に横架し、該コンクリート受梁は、前記小梁と上下方向に縦列されていて床スラブとの間に防振ゴムが介在され、該コンクリート受梁間、もしくは該コンクリート受梁と鉛直躯体壁間に、前記床スラブ上に空隙を存して配設される大引ビームを支持したことを特徴とする。
【０００８】
また、前記目的達成のため、本請求項２記載の発明は、大梁および小梁の上面に床スラブが接続される正梁構造のコンクリート躯体をもつ建築物において、
コンクリート躯体の対面する鉛直躯体壁間には、床スラブ上においてコンクリート受梁を一体に横架し、該コンクリート受梁は、前記小梁と上下方向に縦列されていて床スラブとの間に隙間が設けられ、該コンクリート受梁間、もしくは該コンクリート受梁と鉛直躯体壁間に、前記床スラブ上に空隙を存して配設される大引ビームを支持したことを特徴とする。
【０００９】
前記請求項１および２記載の発明は、床構造体と床スラブとが絶縁、すなわち、それらの接触が回避され、上下階、左右隣室への振動騒音の伝播を可及的に低減して遮音効果を向上させることができ、特に、床構造体を構成する複数の大引ビームをコンクリート受梁間もしくは該コンクリート受梁と鉛直躯体壁間に支持することにより、床面積の広い床構造体でもそこに加わる振動騒音を、床スラブ上のコンクリート受梁、あるいは鉛直躯体壁を介してコンクリート躯体に分散伝播させて、遮音効果を一層高めることができ、その上、床構造体を安定支持することができる。また、前記床支持構造の採用により、床上の有効室内空間を減ずることもない。さらに、床スラブには、床構造体の荷重が作用しないこと、および遮音機能をもたせないですむことから、この床スラブを、従来の床スラブのスラブ厚さよりも可及的に薄くすることが可能になり、これにより居住空間の有効高さを高くとることができ、さらに、コンクリート躯体の重量を低減して、耐震、制震性能を向上させることができ、さらにまた、コンクリートや鋼材の使用量の低減により、建物自体の大幅なコストダウンが達成される。
【００１０】
また、前記目的達成のため、本請求項３記載の発明は、前記請求項１または２記載のものにおいて、前記複数の大引ビームの端面に、それらと直交するビーム受を固定し、該ビーム受を、前記コンクリート受梁もしくは鉛直躯体壁に上下方向に位置調節可能に支持したことを特徴としており、かかる特徴によれば、前記請求項１または２記載の発明の効果に加えて、ビーム受をコンクリート受梁または鉛直躯体壁に支持できることから、大引ビームの位置に関係なく該大引ビームをコンクリート受梁または鉛直躯体壁に支持することができ、さらに大引ビームのコンクリート受梁または鉛直躯体壁に対する上下方向の位置調節を精度よく、容易に行うことができる。
【００１１】
【発明の実施の形態】
以下、本発明の実施の形態を、添付図面に示した本発明の実施例に基づいて説明する。
【００１２】
まず、図１〜６を参照して、本発明の第１実施例について説明する。
【００１３】
図１は、本発明床支持構造を備えた集合住宅の一部の縦断面図、図２は、図１の２−２線に沿う一部破断平面図、図３は、図２の３−３線に沿う拡大断面図、図４は、図２の４−４線に沿う拡大断面図、図５は、図４の５線矢視仮想線囲い部分の拡大図（図６の５−５線に沿う断面図）、図６は、図５の６−６線に沿う断面図である。
【００１４】
図１，２において、集合住宅の骨格を構成する、正梁構造のコンクリート躯体Ｆは、水平方向に延びて、建築物を複数の階層に区画する水平躯体部分Ｆｈと、鉛直方向に延びて上下の水平躯体部分Ｆｈを相互に連結する鉛直躯体部分Ｆｖとを備えている。
【００１５】
前記水平躯体部分Ｆｈは、居住空間Ｄｗを上下に仕切る床スラブＳｆ（本発明の特徴により従来のものよりも可及的に薄くすることが可能）を備え、この床スラブＳｆの左右両側には大梁Ｂｂが下向きに一体に突設され、さらに、床スラブＳｆの中間部には、２本の小梁Ｂｓが下向きに一体に突設されて、所謂「正梁構造」に構成されている。また、前記鉛直躯体部分Ｆｖは、居住空間Ｄｗの四隅に立設される躯体柱１と、並列する躯体柱１間を連結する、大梁Ｂｂ上の鉛直躯体壁２，３とを備えている。
【００１６】
コンクリート躯体Ｆの、対面する一対の鉛直躯体壁３，３間には、床スラブＳｆの上方において、間隔をあけて並列されるコンクリート受梁４，４が一体に横架されており、各コンクリート受梁４は、前記小梁Ｂｓと上下方向に縦列されて延びており、コンクリート受梁４の下面と、床スラブＳｆの上面間には、一定の間隙ｓが形成されていて、その間隙ｓには、板状の防振ゴム９が介装されている。
【００１７】
前記コンクリート受梁４は、コンクリート躯体Ｆの打設成形時に、それと一体に成形されるものであって、具体的には、下階層のコンクリート躯体（たとえば一階層のコンクリート躯体Ｆ１）の打設成形終了後に、上階層のコンクリート躯体（たとえば二階層のコンクリート躯体Ｆ２  ）を打設する際に、下階層の床スラブＳｆ上に、コンクリート受梁４を後打ちする。なお、コンクリート受梁４内には、上階層のコンクリート躯体内とに跨がって、鉄筋もしくはＰＣ鋼などよりなる補強線条１１が埋設されて補強される。
【００１８】
各階層の居住空間Ｄｗの床スラブＳｆ上には、床構造体Ｆｒが配設される。
【００１９】
前記床構造体Ｆｒは各階層とも同じ構造を備えているので、以下に、その床構造体Ｆｒの支持構造について、図１，２に図３〜６を併せ参照して詳細に説明するに、この床構造体Ｆｒはコンクリート躯体Ｆの床スラブＳｆとの直接接触を回避されて、鉛直躯体壁２と前記コンクリート受梁４間、あるいは間隔をあけて並列されるコンクリート受梁４間に支持される。
【００２０】
コンクリート躯体Ｆの床スラブＳｆ上には、その全域にわたり上下方向に若干の隙間Ｄ１を存して複数本の大引ビーム５…が、一平面上で互いに平行に並列され、それらの大引ビーム５…の両端部は、図４に明瞭に示すように、コンクリート受梁４間、あるいはコンクリート受梁４と鉛直躯体壁２間に固定支持される。大引ビームの、コンクリート受梁４への支持構造と、鉛直躯体壁２への支持構造は同じであるので、以下に、大引ビーム５のコンクリート受梁４に対する支持構造について詳細に説明する。
【００２１】
複数の大引ビーム５…の両端面は、それらと直交して延びる、左右ビーム受８，８により一体に結合されていて、複数の大引ビーム５…と、左右ビーム受８，８により閉鎖枠状に形成されて高い剛性を保つように形成されている。
【００２２】
各大引ビーム５は、鋼板を横断面Σ状に屈曲形成して構成され、十分な剛性を確保しながら軽量に形成されている。ビーム受８は、図５に明瞭に示すように、横断面アングル状の等辺山形鋼により形成されていて、水平半部８ｈと、その一端部より下方に垂下する鉛直半部８ｖとを有し、その水平半部８ｈは、大引ビーム５の端部上面にボルト・ナット１３により防振ゴム１４を介して固定され、またその鉛直半部８ｖは、コンクリート受梁４の側面と対面するように上向きに延びていて、それらの間に他の防振ゴム１５が介在されている。
【００２３】
一方、図５，６に示すように、コンクリート受梁４の側面には、複数の支持部材１７が上下方向に位置調節可能に固定される。各支持部材１７は、横断面アングル状の等辺山形鋼により構成され、その鉛直半部１７ｖの中央部には、上下方向に長い長孔１８が穿設される。コンクリート受梁４の側面には、前記支持部材に対向して複数のインサート１９が一体に埋設されており、ワッシャー２０を介して長孔１８を貫通した取付ボルト２１を前記インサート１９に螺締することにより、複数の支持部材１７は、コンクリート受梁４の側面に上下方向に位置調節可能に固定される。複数の支持部材１７の水平半部１７ｈ上には、前記ビーム受８が防振ゴム２２を介して載設されている
図６に示すように、ビーム受８には、相隣り合う支持部材１７間において、複数の大引ビーム５…が、前述のボルト・ナット１３により懸吊支持される。そして複数の大引ビーム５…の端部と、コンクリート受梁４の側面との間には空隙Ｄ２が形成され、またそれらの大引ビーム５…の下面と床スラブＳｆとの間には前記空隙Ｄ１が形成され、これにより複数の大引ビーム５…は、コンクリート受梁４および床スラブＳｆに直接接触することがない。
【００２４】
図１，２に示すように、複数の大引ビーム５…には、それらと直交して木製の角柱材などにより形成される、複数の根太６…が相互に平行に敷設され、それらの根太６…上に、フローリング板などよりなる床板７が敷設され、この床板７は前記コンクリート受梁４との接触が回避されている。そして、複数の大引ビーム５…、左右のビーム受８，８、複数の根太６…および床板７により床構造体Ｆｒが構成される。
【００２５】
なお、図４に示すように、複数の大引ビーム５…の他端部の、鉛直躯体壁２に対する支持構造は、前記大引ビーム５…の一端部のコンクリート受梁４に対する支持構造と同じであるので、その説明を省略する。
【００２６】
床スラブＳｆ上に空隙Ｄ１を存して配設される複数の大引ビーム５…は、それらの両端部が空隙Ｄ２を存して防振ゴム１４およびビーム受８を介してコンクリート受梁４間、あるいはコンクリート受梁４と鉛直躯体壁２間にそれぞれ懸吊支持されることにより、複数の大引ビーム５…は、床スラブＳｆに接触することがない。
【００２７】
以上のように、本発明に従う第１実施例では、居住空間Ｄｗにおいて、床構造体Ｆｒを構成する複数の大引ビーム５…の両端部が、支持部材１７…およびビーム受８，８を介して小梁Ｂｓ上のコンクリート受梁４間、あるいはコンクリート受梁４と大梁Ｂｂ上の鉛直躯体壁２にそれぞれ支持され、複数の大引ビーム５…は、床スラブＳｆとの接触が回避され、床構造体Ｆｒに作用する振動衝撃が床スラブＳｆに伝播することがない。
【００２８】
複数の大引ビーム５…は、その両端部が、互いに並列するコンクリート受梁４間、あるいはコンクリート受梁４と鉛直躯体壁２間に支持されることにより、床構造体Ｆｒにかかる荷重に起因する振動騒音は、複数の大引ビーム５…を介して小梁Ｂｓ上のコンクリート受梁４あるいは大梁Ｂｂ上の鉛直躯体壁Ｆｈに分散させることができ、特に、床面積が小梁Ｂｓを跨いで広く形成される場合にも、コンクリート受梁４により大引ビーム５…を支持することにより、床に加わる振動騒音をコンクリート受梁４を介してコンクリート躯体Ｆへと分散させることができて、遮音効果を一層高めることができる。また、床スラブＳｆには、床構造体Ｆｒの荷重が作用しないこと（コンクリート受梁４から防振ゴム９を介して床スラブＳｆに作用する荷重は、その直下の小梁Ｂｓにより受けて床スラブＳｆには伝播しない）、および遮音機能をもたせないですむことから、この床スラブＳｆを、従来の床スラブのスラブ厚さ（２０〜２７ｃｍ）よりも可及的に薄く（約１０〜１５ｃｍ）することが可能になり、これにより居住空間Ｄｗの室内高さを高くとることができ、さらに、コンクリート躯体Ｆの重量を低減して、耐震、制震性能を向上させることができ、さらにまた、コンクリートや鋼材の使用量の低減により、建物自体の大幅なコストダウンが達成される。
【００２９】
さらに、床構造体Ｆｒは、その床板７よりも下方で、コンクリート受梁４あるいは鉛直躯体壁２に支持することができることから、その床構造体Ｆｒよりも上に、該床構造体Ｆｒを支持するための部材が存在せず、しかも鉛直躯体壁２には、仕上げ壁材を、じか貼りすることができ、室内空間を広く確保することができる。また、ビーム受８，８は複数の大引ビーム５…の端部上面に固定されていて、該大引ビーム５…の下面よりも下方に突出することがなく、大引ビーム５…と、床スラブＳｆ間の空隙Ｄ１は、必要最少限度に設定することができ、その結果、床下空間の占有高さが高くなることもない。
【００３０】
つぎに、本発明の第２実施例を、図７，８を参照して説明する。
【００３１】
図７は、大引ビームのコンクリート受梁４への支持部の、図８の７−７線に沿う断面図、図８は、図７の８−８線に沿う断面図であり、前記第１実施例と同じものには、同じ符号が付される。
【００３２】
この第２実施例は、大引ビーム５…のコンクリート受梁４（鉛直躯体壁２）への支持構造が前記第１実施例と若干相違している。一平面上に互いに平行に並列される複数の大引ビーム５…の端部は、それらと直交して延びるビーム受８により一体に結合される。ビーム受８は、横断面アングル状の等辺山形鋼により形成され、その水平半部８ｈは、大引ビーム５の端部上面にボルト・ナット３０により防振ゴム３１を介して固定され、またその鉛直半部８ｖは、複数の大引ビーム５…の端面を横切るように下向きに延びていて、相隣り合う大引ビーム５，５間で、複数のアンカーボルト３２を以てコンクリート受梁４の側面上部にそれぞれ固定される。したがって床スラブＳｆ上に空隙Ｄ１を存して配設される複数の大引ビーム５…は、それらの端部が空隙Ｄ２を存して防振ゴム３１およびビーム受８を介してコンクリート受梁４に支持され、これにより、複数に大引ビームビーム５…は、床スラブＳｆおよびコンクリート受梁４に直接接触することがない。
【００３３】
しかして、この第２実施例と同じ作用効果を奏する。
【００３４】
つぎに、本発明の第３実施例を、図９を参照して説明する。
【００３５】
図９は、大引ビームのコンクリート受梁４への支持部の断面図であり、図中前記第１実施例と同じものには同じ符号付される。
【００３６】
この第３実施例は、コンクリート受梁４の下面と床スラブＳｆの上面との間に、所定幅に隙間ｓを形成して、床構造体Ｆｒにかかる荷重を、コンクリート受梁４（鉛直躯体壁２）で受けるようにした場合であり、この隙間ｓの形成にあたっては、型枠（図示せず）の枠組みにより、このコンクリート受梁４を、コンクリート躯体Ｆと共に打設成形する際に、コンクリート受梁４と床スラブＳｆとの間に、予め発泡スチロール材４０を介装させ、その後に、この発泡スチロール４０を焼却などにより取り除くようにする。
【００３７】
この第３実施例によれば、コンクリート受梁４と床スラブＳｆとが、空隙ｓを介して無接触状態となり、コンクリート受梁４にかかる振動衝撃は、小梁Ｂｓには伝播されずに、該コンクリート受梁４（鉛直躯体壁２）からコンクリート躯体Ｆへと分散伝播される。
【００３８】
しかして、この第３実施例も前記第１，２実施例と同じ作用効果を奏する。
【００３９】
以上、本発明の第１〜３実施例について説明したが、本発明はそれらの実施例に限定されることなく、本発明の範囲内で種々の実施例が可能である。
【００４０】
たとえば、前記実施例では、本発明にかかる建築物における床支持構造を、集合住宅に実施した場合を説明したが、これを他のコンクリート建築物にも実施できる。また、床構造体の床板として、フローリング板の外、畳床、その他の公知のものの使用が可能である。
【００４１】
【発明の効果】
以上のように、本請求項１，２記載の発明によれば、大梁および小梁の上面に床スラブが接続される正梁構造のコンクリート躯体をもつ建築物において、床構造体と床スラブとが絶縁、すなわち、それらの接触が回避され、上下階、左右隣室への振動騒音の伝播を可及的に低減して遮音効果を向上させることができ、特に、床構造体を構成する複数の大引ビームをコンクリート受梁間もしくは該コンクリート受梁と鉛直躯体壁間に支持することにより、床面積の広い床構造体でもそこに加わる振動騒音を、床スラブ上のコンクリート受梁、あるいは鉛直躯体壁を介してコンクリート躯体に分散伝播させて、遮音効果を一層高めることができ、その上、床構造体を安定支持することができる。また、前記床支持構造の採用により、床上の有効室内空間を減ずることもない。さらに、床スラブには、床構造体の荷重が作用しないこと、および遮音機能をもたせないですむことから、この床スラブを、従来の床スラブのスラブ厚さよりも可及的に薄くすることが可能になり、これにより居住空間の有効高さを高くとることができ、さらに、コンクリート躯体の重量を低減して、耐震、制震性能を向上させることができ、さらにまた、コンクリートや鋼材の使用量の低減により、建物自体の大幅なコストダウンが達成される。
【００４２】
また、請求項３記載の発明によれば、前記請求項１，２記載の発明の効果に加えて、ビーム受をコンクリート受梁または鉛直躯体壁に支持できることから、大引ビームの位置に関係なく該大引ビームをコンクリート受梁または鉛直躯体壁に支持することができ、さらに大引ビームのコンクリート受梁または鉛直躯体壁に対する上下方向の位置調節を精度よく、容易に行うことができる。
【図面の簡単な説明】
【図１】本発明床支持構造を備えた集合住宅の一部の縦断面図（第１実施例）
【図２】図１の２−２線に沿う一部破断平面図
【図３】図２の３−３線に沿う拡大断面図
【図４】図２の４−４線に沿う拡大断面図
【図５】図４の５線矢視仮想線囲い部分の拡大図（図６の５−５線に沿う断面図）
【図６】図５の６−６線に沿う断面図
【図７】大引ビームのコンクリート受梁４への支持部の、図８の７−７線に沿う断面図（第２実施例）
【図８】図７の８−８線に沿う断面図
【図９】大引ビームのコンクリート受梁４への支持部の断面図（第３実施例）
【符号の説明】
２          鉛直躯体壁
３          鉛直躯体壁
４          コンクリート受梁
８          ビーム受
９          防振ゴム
Ｂｂ        大梁
Ｂｓ        小梁
Ｄ１        空隙
Ｆ          コンクリート躯体
Ｓｆ        床スラブ
ｓ          隙間
【図１】
0003923304.tif 000002
【図２】
0003923304.tif 000003
【図３】
0003923304.tif 000004
【図４】
0003923304.tif 000005
【図５】
0003923304.tif 000006
【図６】
0003923304.tif 000007
【図７】
0003923304.tif 000008
【図８】
0003923304.tif 000009
【図９】
0003923304.tif 000010